(57)【特許請求の範囲】
【請求項１】
ケースと、
このケースの側面にその外部側方に向けて突出して設けられ、且つ前記ケースの外周面に沿う幅方向に貫通する貫通孔を有するバンド取付部と、
前記ケース側に位置する端部に前記バンド取付部が挿入する挿入凹部が設けられていると共に、前記端部における前記挿入凹部の両側にそれぞれ挿入孔が前記バンド取付部の前記貫通孔に対応して設けられたバンドと、
このバンドの前記挿入孔および前記バンド取付部の前記貫通孔に挿入して前記バンドを前記バンド取付部に取り付けるための取付部材と、
前記バンドの前記挿入凹部内に配置された状態で前記取付部材によって前記バンド取付部に取り付けられることにより、前記バンドを前記バンド取付部に対して固定するための固定部材とを備え、
前記固定部材は、前記バンド取付部の下面側に配置される平板部と、この平板部の両側に設けられて前記バンド取付部の前記貫通孔に対応する取付孔を有する一対の取付部とを備え、この一対の取付部の前記取付孔に前記取付部材が挿入することにより、前記バンド取付部に取り付けられていることを特徴とするバンド取付構造。
【請求項２】
前記固定部材には、前記バンド取付部の上面を押える押え部が設けられていることを特徴とする請求項１に記載のバンド取付構造。
【請求項３】
ケースと、
このケースの側面にその外部側方に向けて突出して設けられ、且つ前記ケースの外周面に沿う幅方向に貫通する貫通孔を有するバンド取付部と、
前記ケース側に位置する端部に前記バンド取付部が挿入する挿入凹部が設けられていると共に、前記端部における前記挿入凹部の両側にそれぞれ挿入孔が前記バンド取付部の前記貫通孔に対応して設けられたバンドと、
このバンドの前記挿入孔および前記バンド取付部の前記貫通孔に挿入して前記バンドを前記バンド取付部に取り付けるための取付部材と、
前記バンドの前記挿入凹部内に配置された状態で前記取付部材によって前記バンド取付部に取り付けられることにより、前記バンドを前記バンド取付部に対して固定するための固定部材とを備え、
前記固定部材は、前記バンド取付部の上面側に配置される平板部と、この平板部の両側に設けられて前記バンド取付部の前記貫通孔に対応する取付孔を有する一対の取付部とを備え、この一対の取付部の前記取付孔に前記取付部材が挿入することにより、前記バンド取付部に取り付けられていることを特徴とするバンド取付構造。
【請求項４】
前記固定部材には、前記バンド取付部の下面を押える押え部が設けられていることを特徴とする請求項３に記載のバンド取付構造。
【発明の詳細な説明】
【技術分野】
【０００１】
この発明は、機器のケースにバンドを取り付けるためバンド取付構造に関する。
【背景技術】
【０００２】
従来、腕時計ケースに時計バンドを取り付けるためのバンド取付構造としては、特許文献１に記載されているように、腕時計ケースの両側部に設けられたバンド取付部に合成樹脂製の先かん部材を第１のばね棒によって取り付けると共に、この先かん部材に金属製のカバー部材を取り付け、このカバー部材に時計バンドを第２のばね棒で取り付けるように構成したものがある。
【特許文献１】特開２００４−１４４５３６号
【発明の開示】
【発明が解決しようとする課題】
【０００３】
しかしながら、このような従来のバンド取付構造では、腕時計ケースのバンド取付部に先かん部材を第１のばね棒で取り付け、この先かん部材にカバー部材を取り付け、このカバー部材に時計バンドを第２のばね棒で取り付けた構成であるから、先かん部材、カバー部材、第１、第２の各ばね棒などの複数の部品が必要であり、部品点数が多く、組み立て作業も煩雑であるばかりか、腕時計ケースと時計バンドとが一体に取り付けられているような一体感が得られないという問題がある。
【０００４】
この発明が解決しようとする課題は、少ない部品点数で組立て作業も簡単で、且つケースとバンドとの一体感が得られるバンド取付構造を提供することである。
【課題を解決するための手段】
【０００５】
この発明は、上記課題を解決するために、次のような構成要素を備えている。
請求項１に記載の発明は、ケースと、このケースの側面にその外部側方に向けて突出して設けられ、且つ前記ケースの外周面に沿う幅方向に貫通する貫通孔を有するバンド取付部と、前記ケース側に位置する端部に前記バンド取付部が挿入する挿入凹部が設けられていると共に、前記端部における前記挿入凹部の両側にそれぞれ挿入孔が前記バンド取付部の前記貫通孔に対応して設けられたバンドと、このバンドの前記挿入孔および前記バンド取付部の前記貫通孔に挿入して前記バンドを前記バンド取付部に取り付けるための取付部材と、前記バンドの前記挿入凹部内に配置された状態で前記取付部材によって前記バンド取付部に取り付けられることにより、前記バンドを前記バンド取付部に対して固定するための固定部材とを備え、前記固定部材は、前記バンド取付部の下面側に配置される平板部と、この平板部の両側に設けられて前記バンド取付部の前記貫通孔に対応する取付孔を有する一対の取付部とを備え、この一対の取付部の前記取付孔に前記取付部材が挿入することにより、前記バンド取付部に取り付けられていることを特徴とするバンド取付構造である。
【０００７】
請求項２に記載の発明は、前記固定部材に、前記バンド取付部の上面を押える押え部が設けられていることを特徴とする請求項１に記載のバンド取付構造である。
【０００８】
請求項３に記載の発明は、ケースと、このケースの側面にその外部側方に向けて突出して設けられ、且つ前記ケースの外周面に沿う幅方向に貫通する貫通孔を有するバンド取付部と、前記ケース側に位置する端部に前記バンド取付部が挿入する挿入凹部が設けられていると共に、前記端部における前記挿入凹部の両側にそれぞれ挿入孔が前記バンド取付部の前記貫通孔に対応して設けられたバンドと、このバンドの前記挿入孔および前記バンド取付部の前記貫通孔に挿入して前記バンドを前記バンド取付部に取り付けるための取付部材と、前記バンドの前記挿入凹部内に配置された状態で前記取付部材によって前記バンド取付部に取り付けられることにより、前記バンドを前記バンド取付部に対して固定するための固定部材とを備え、前記固定部材が、前記バンド取付部の上面側に配置される平板部と、この平板部の両側に設けられて前記バンド取付部の前記貫通孔に対応する取付孔を有する一対の取付部とを備え、この一対の取付部の前記取付孔に前記取付部材が挿入することにより、前記バンド取付部に取り付けられていることを特徴とするバンド取付構造である。
【０００９】
請求項４に記載の発明は、前記固定部材に、前記バンド取付部の下面を押える押え部が設けられていることを特徴とする請求項３に記載のバンド取付構造である。
【発明の効果】
【００１１】
この発明によれば、ケースのバンド取付部にバンドを取付部材によって取り付ける際に、取付部材によって固定部材をもバンド取付部に取り付けることができるので、少ない部品点数で、簡単に組立てることができ、且つ固定部材によってバンド取付部にバンドを確実に且つ強固に固定することができると共に、ケースのバンド取付部がバンドの挿入凹部内に挿入して、バンドをケース対して一体的に取り付けることができ、これによりケースとバンドとの隙間を抑制することができるので、ケースとバンドとの一体感を得ることができる。
【発明を実施するための最良の形態】
【００１２】
（実施形態１）
以下、図１〜図５を参照して、この発明のバンド取付構造を腕時計に適用した実施形態１について説明する。
この腕時計のバンド取付構造は、図１および図２に示すように、腕時計ケース１の両側部（図１および図２では片側のみを示す。）に時計バンド２を取り付けるように構成されている。この場合、腕時計ケース１は、図３に示すように、その上部開口部に時計ガラス３がパッキン３ａを介して取り付けられ、下部に金属製の裏蓋４が取り付けられ、内部に時計モジュール５が組み込まれるように構成されている。この場合、腕時計ケース１の３時側および９時側に位置する側面には、図１および図２に示すように、押釦スイッチ６がそれぞれ設けられている。
【００１３】
また、この腕時計ケース１は、図１〜図４に示すように、ケース本体７と、このケース本体７の上部外周に取り付けられた合成樹脂製または金属製の第１ベゼル８と、この第１ベゼル８の一部に取り付けられた金属製の第２ベゼル９とを備えている。この場合、第１ベゼル８は、図３に示すように、ケース本体７の上面に設けられた装飾ベゼル８ａと、この装飾ベゼル８ａをその一部を除いて覆った状態でケース本体７の上部外周に装着する外部ベゼル８ｂとを備えている。第２ベゼル９は、図１〜図３に示すように、第１ベゼル８の下部側に位置するケース本体７の外周面に沿って設けられている。
【００１４】
ケース本体７の側面における所定箇所、つまりケース本体７における１２時側と６時側とに位置する箇所（図１〜図３では１２時側の片側のみを示す。）の側面には、図３に示すように、バンド取付部１０がケース本体７の外部側方に向けて斜め下側に少し傾斜した状態で第２ベゼル９から側方に突出して設けられている。このバンド取付部１０は、図１〜図４に示すように、時計バンド２をケース本体７に取り付けるためのものであり、このバンド取付部１０の先端部（図３では右端部）は、ほぼ半円弧状に形成されている。また、このバンド取付部１０には、図３および図４に示すように、ケース本体７の外周面に沿う幅方向に貫通する貫通孔１１が設けられている。
【００１５】
一方、ケース本体７のバンド取付部１０に取り付けられる時計バンド２におけるケース本体７側の端部２ａには、図３および図４に示すように、バンド取付部１０が挿入する挿入凹部１２が設けられている。この挿入凹部１２は、図３に示すように、バンド取付部１０が挿入した際に、挿入凹部１２内の上面がバンド取付部１０の上面に当接すると共に、時計バンド２の端部２ａにおける上部側が第２ベゼル９の下側ほぼ半分程度を覆って第２ベゼル９に当接し、且つ挿入凹部１２内の下面がバンド取付部１０の下面に僅かな隙間、つまり後述する固定部材１７の平板部１８が配置される程度の隙間を有して対面するように構成されている。
【００１６】
また、時計バンド２の端部２ａにおける挿入凹部１２の両側に位置する箇所には、図４に示すように、バンド取付部１０の貫通孔１１に対応する挿入孔１３がそれぞれ設けられている。そして、時計バンド２は、図３に示すように、取付部材１４によってケース本体７のバンド取付部１０に取り付けられるように構成されている。すなわち、取付部材１４は、図３および図４に示すように、時計バンド２の一方の挿入孔１３からバンド取付部１０の貫通孔１１に挿入する固定ピン１５と、時計バンド２の他方の挿入孔１３に挿入して固定ピン１５の先端部に設けられたねじ孔１５ａに螺着するビス１６とを備えている。
【００１７】
これにより、取付部材１４は、図３および図４に示すように、固定ピン１５を時計バンド２の一方の挿入孔１３からバンド取付部１０の貫通孔１１に挿入させた状態で、ビス１６を時計バンド２の他方の挿入孔１３に挿入して固定ピン１５のねじ孔１５ａに螺入させて締め付けることにより、時計バンド２をケース本体７のバンド取付部１０に取り付けるように構成されている。この場合、バンド取付部１０には、図３および図４に示すように、時計バンド２をバンド取付部１０に対して固定するための固定部材１７が取り付けられている。
【００１８】
この固定部材１７は、図５（ａ）および図５（ｂ）に示すように、金属板の両側をほぼ垂直上方に向けて折り曲げることにより、バンド取付部１０の下面側に配置される平板部１８と、この平板部１８の両側に起立して設けられた一対の取付部１９とを備えた構成になっている。この一対の取付部１９におけるケース本体７側（図５（ｂ）では左側）に位置する箇所には、それぞれバンド取付部１０の貫通孔１１に対応する取付孔２０が設けられている。これにより、固定部材１７は、バンド取付部１０に時計バンド２を取付部材１４によって取り付ける際、取付部材１４の固定ピン１５が一対の取付部１９の各取付孔２０に挿入してビス１６で締め付けられることにより、バンド取付部１０に取り付けられるように構成されている。
【００１９】
この場合、固定部材１７の平板部１８は、図３に示すように、バンド取付部１０の突出長さ（図３では左右方向の長さ）よりも長く形成され、バンド取付部１０の先端部から突出するように構成されている。これに伴って、時計バンド２の端部２ａに設けられた挿入凹部１２内の奥側下部には、固定部材１７における平板部１８の先端部１８ａが嵌入する嵌合凹部２１が設けられている。これにより、固定部材１７は、取付部材１４によってバンド取付部１０に取り付けられて、平板部１８の先端部１８ａが挿入凹部１２の嵌合凹部２１に嵌合した状態で、取付部材１４を中心に時計バンド２が下側に向けて押された際に、平板部１８がバンド取付部１０の下面に当接することにより、図２に示す矢印Ｘ方向に回転するのを阻止するように構成されている。
【００２０】
このような腕時計のバンド取付構造によれば、時計バンド２の端部２ａに設けられた挿入凹部１２内に固定部材１７を挿入してその平板部１８の先端部１８ａを挿入凹部１２内の嵌合凹部２１に嵌合させると共に、ケース本体７の側面に設けられたバンド取付部１０を挿入凹部１２内に挿入し、この状態で取付部材１４の固定ピン１５を時計バンド２の一方の挿入孔１３から固定部材１７の一方の取付部１９に設けられた取付孔２０を通してバンド取付部１０の貫通孔１１に挿入させた後、ビス１６を時計バンド２の他方の挿入孔１３から固定部材１７の他方の取付部１９に設けられた取付孔２０に挿入させて固定ピン１５のねじ孔１５ａに螺着させることにより、時計バンド２と固定部材１７とをケース本体７のバンド取付部１０に一度に取り付けることができる。
【００２１】
すなわち、このバンド取付構造では、時計バンド２の挿入凹部１２にケース本体７のバンド取付部１０と固定部材１７とを挿入し、この状態で取付部材１４によってバンド取付部１０に時計バンド２と固定部材１７とを一度に取り付けることができるので、少ない部品点数で、簡単に組み付けることができると共に、時計バンド２の端部２ａにおける上面部側が第２ベゼル８にその下側ほぼ半分程度を覆って当接し、挿入凹部１２の下面がバンド取付部１０の下面に固定部材１７の平板部１８を介して当接した状態で、時計バンド２を腕時計ケース１に対して一体的に取り付けることができるので、時計バンド２と腕時計ケース１との一体感を得ることができる。
【００２２】
この場合、固定部材１７は、金属製であるから、バンド取付部１０に対する時計バンド２の取付強度を補強することができ、これにより取付強度を十分に高めることができるほか、取付部材１７によってバンド取付部１０に取り付けられた状態で、取付部材１４を中心に時計バンド２が下側に向けて押された際に、平板部１８がバンド取付部１０の下面に当接することにより、時計バンド２が図２に示す矢印Ｘ方向に回転するのを阻止することができ、これによりバンド取付部１０に時計バンド２を確実に且つ強固に固定することができると共に、腕時計ケース１と時計バンド２との隙間を抑制することができるので、腕時計ケース１と時計バンド２との一体感を得ることができる。
【００２３】
特に、固定部材１７は、時計バンド２の挿入凹部１２内に挿入した際に、平板部１８の先端部１８ａが挿入凹部１２内の嵌合凹部２１に嵌入し、この状態で平板部１８がバンド取付部１０の下面に当接しているので、取付部材１４を中心に時計バンド２が下側に向けて押されて図２に示す矢印Ｘ方向に回転するのを確実に且つ強固に阻止することができる。また、この固定部材１７は、時計バンド２の挿入凹部１２に挿入した状態で、バンド取付部１０に取り付けられているので、固定部材１７が時計バンド２および腕時計ケース１の外部に露出することがないため、外観性およびデザイン性の高いものを得ることができる。
【００２４】
なお、上記実施形態１では、時計バンド２の挿入凹部１２に挿入された固定部材１７が外部から見えないように構成した場合について述べたが、これに限らず、例えば図６および図７に示す変形例のように、時計バンド２の端部２ａにおける挿入凹部１２に対応する箇所の下面にほぼ長方形状の開口部２３を設け、この開口部２３から固定部材１７の平板部１８の一部が時計バンド２の下面側に露出するように構成しても良い。このように構成すれば、固定部材１７の平板部１８の一部を開口部２３から露出させることにより、装飾的な効果を得ることができるので、装飾性を高めることができる。
【００２５】
（実施形態２）
次に、図８および図９を参照して、この発明を時計バンドに適用した実施形態２について説明する。なお、図１〜図５に示された実施形態１と同一部分には同一符号を付して説明する。
この腕時計のバンド取付構造は、固定部材１７にバンド取付部１０の上面を押える押え部２５を設けた構成であり、これ以外は実施形態１とほぼ同じ構成になっている。
【００２６】
すなわち、この固定部材１７の押え部２５は、図９に示すように、平板部１８におけるケース本体７側に切り込みを設け、この切り込みによってほぼ逆Ｌ字形状に切り起すことにより、図８に示すように、バンド取付部１０の先端側に沿って立ち上がる立上り部２５ａと、バンド取付部１０の先端上部からバンド取付部１０の上面に沿って円弧状に湾曲して延びる当接部２５ｂとを備えた構成になっている。この場合、押え部２５は、その幅方向の長さがバンド取付部１０の幅方向の長さよりも短く形成されていることにより、押え部２５が切り起こされた箇所の両側に、バンド取付部１０の下面に当接する平板部１８の一部が残るように構成されている。
【００２７】
これにより、固定部材１７は、取付部材１４によってバンド取付部１０に取り付けられた状態で、図８および図９に示すように、時計バンド２が押し下げられた際に、押え部２５が切り起こされた箇所の両側に位置する平坦部１８の一部がバンド取付部１０の下面に当接することにより、図８に示す矢印Ｘ方向に回転するのを阻止すると共に、時計バンド２が押し上げられた際に、押え部２５の当接部２５ｂがバンド取付部１０の上面に当接することにより、図８に示す矢印Ｙ方向に回転するのを阻止するように構成されている。
【００２８】
このような腕時計のバンド取付構造によれば、実施形態１と同様の作用効果があるほか、固定部材１７にバンド取付部１０の上面を押える押え部２５が設けられ、この押え部２５の当接部２５ｂがバンド取付部１０の上面に当接することにより、時計バンド２が押し上げられて図８に示す矢印Ｙ方向に回転するのを阻止することができるので、固定部材１７によって時計バンド２をケース本体７のバンド取付部１０に実施形態１よりも確実に且つ強固に固定することができると共に、腕時計ケース１と時計バンド２との隙間を実施形態１よりも抑制することができるので、より一層、腕時計ケース１と時計バンド２との一体感を得ることができる。
【００２９】
なお、上記実施形態２においても、時計バンド２の挿入凹部１２に挿入された固定部材１７が外部から見えないように構成した場合について述べたが、これに限らず、例えば図１０および図１１に示す変形例のように、時計バンド２の端部２ａにおける挿入凹部１２に対応する箇所の下面に、実施形態１の変形例の開口部２３よりも小さいほぼ長方形状の開口部２７を設け、この開口部２７から固定部材１７の平板部１８の一部が時計バンド２の下面側に露出するように構成しても良い。このように構成すれば、固定部材１７の平板部１８の一部を開口部２７から露出させることにより、実施形態１の変形例と同様、装飾的な効果を得ることができるので、装飾性を高めることができる。
【００３０】
（実施形態３）
次に、図１２〜図１４を参照して、この発明を時計バンドに適用した実施形態３について説明する。この場合には、図１０〜図１１に示された実施形態２と同一部分に同一符号を付して説明する。
この腕時計のバンド取付構造は、固定部材３０を実施形態２の固定部材１７と上下逆の形状に形成し、この固定部材３０をバンド取付部１０に取り付けた構成であり、これ以外は実施形態２とほぼ同じ構成になっている。
【００３１】
すなわち、この固定部材３０は、図１３および図１４に示すように、金属板の両側をほぼ垂直下方に向けて折り曲げることにより、バンド取付部１０の上面側に配置される平板部３１と、この平板部３１の両側に垂下して設けられた一対の取付部３２とを備えた構成になっている。この場合、一対の取付部３２におけるケース本体７側（図１４では左側）に位置する箇所には、実施形態２と同様、バンド取付部１０の貫通孔１１に対応する取付孔３３がそれぞれ設けられている。
【００３２】
また、この固定部材３０には、図１３および図１４に示すように、バンド取付部１０の下面を押える押え部３４が設けられている。この押え部３４は、図１４に示すように、平板部３１におけるケース本体７側に切り込みを設け、この切り込みによってほぼ逆Ｌ字形状に切り下げることにより、図１３に示すように、バンド取付部１０の先端側に沿って立ち下がる立下り部３４ａと、バンド取付部１０の先端上部からバンド取付部１０の下面に沿って円弧状に湾曲して延びる当接部３４ｂとを備えた構成になっている。この場合にも、押え部３４は、その幅方向の長さがバンド取付部１０の幅方向の長さよりも短く形成され、これにより押え部３４が切り下げられた箇所の両側に、バンド取付部１０の上面に当接する平板部３１の一部が残るように構成されている。
【００３３】
さらに、この固定部材３０の平板部３１は、図１３および図１４に示すように、バンド取付部１０の突出長さ（図１３では左右方向の長さ）よりも長く形成され、バンド取付部１０の先端よりも突出する部分が時計バンド２の上面と平行になるように斜め下に向けて傾斜する傾斜部３１ａに折り曲げられた構成になっている。これに伴って、時計バンド２の端部２ａに設けられた挿入凹部１２内の奥側上部には、固定部材３０における平板部３１の傾斜部３１ａが挿入する逃げ凹部３５が設けられている。また、時計バンド２の端部２ａにおける挿入凹部１２の逃げ凹部３５に対応する箇所の上面には、図１２および図１３に示すように、ほぼ長方形状の開口部３６が設けられている。この開口部３６は、固定部材３０の平板部３１の一部を時計バンド２の上面側に露出させるように構成されている。
【００３４】
これにより、固定部材３０は、時計バンド２の挿入凹部１２に挿入されて平板部３１の傾斜部３１ａが挿入凹部１２内の逃げ凹部３５に挿入されると共に、平板部３１の傾斜部３１ａが逃げ凹部３５内の傾斜した上面に当接した状態で、取付部材１４によってバンド取付部１０に取り付けられた際に、図１３および図１４に示すように、押え部３４の切り下げられた箇所の両側に位置する平坦部３１の一部がバンド取付部１０の上面に当接することにより、時計バンド２が押し上げられて図１３に示す矢印Ｙ方向に回転するのを阻止すると共に、押え部３４の当接部３４ｂがバンド取付部１０の下面に当接することにより、時計バンド２が押し下げられて図１３に示す矢印Ｘ方向に回転するのを阻止するように構成されている。
【００３５】
このような腕時計のバンド取付構造によれば、固定部材３０が取付部材１４によってバンド取付部１０に取り付けられた状態で、図１３および図１４に示すように、時計バンド２が押し上げられた際に、固定部材３０の押え部３４が切り下げられた箇所の両側に位置する平坦部３１の一部がバンド取付部１０の上面に当接することにより、図１３に示す矢印Ｙ方向に回転するのを阻止すると共に、時計バンド２が押し下げられた際に、押え部３４の当接部３４ｂがバンド取付部１０の下面に当接することにより、図１３に示す矢印Ｘ方向に回転するのを阻止するので、実施形態１、２と同様の作用効果がある。
【００３６】
すなわち、固定部材３０は、時計バンド２の挿入凹部１２に挿入されて平板部３１の傾斜部３１ａが挿入凹部１２内の逃げ凹部３５に挿入されると共に、平板部３１の傾斜部３１ａが逃げ凹部３５内の傾斜した上面に当接した状態で、時計バンド２が押し上げられた際に、押え部３４の切り下げられた箇所の両側に位置する平坦部３１の一部がバンド取付部１０の上面に当接することにより、図１３に示す矢印Ｙ方向に回転するのを確実に阻止することができると共に、時計バンド２が押し下げられた際に、押え部３４の当接部３４ｂがバンド取付部１０の下面に当接することにより、図１３に示す矢印Ｘ方向に回転するのを阻止することができる。
【００３７】
このため、このバンド取付構造においても、実施形態２と同様、バンド取付部１０に時計バンド２を確実に且つ強固に固定することができると共に、腕時計ケース１と時計バンド２との隙間を抑制することができるので、腕時計ケース１と時計バンド２との一体感を得ることができる。また、このバンド取付構造では、時計バンド２の上面に開口部３６が固定部材３０における平板部３１の傾斜部３１ａに対応して設けられていることにより、固定部材３０における平板部３１の傾斜部３１ａの一部を時計バンド２の開口部３６から上側に露出させることができ、これにより装飾的な効果を得ることができるので、装飾性を高めることができる。
【００３８】
なお、上記実施形態３では、固定部材３０の平板部３１にバンド取付部１０の下面を押える押え部３４を設けた場合について述べたが、必ずしも固定部材３０に押え部３４を設ける必要はなく、固定部材３０は、バンド取付部１０の上面側に配置される平板部３１と、この平板部３１の両側に設けられてそれぞれ取付孔３３を有する一対の取付部３２とを備えただけの構成であっても良い。このような構成でも、バンド取付部１０に時計バンド２を確実に且つ強固に固定することができると共に、腕時計ケース１と時計バンド２との隙間を抑制することができるので、腕時計ケース１と時計バンド２との一体感を得ることができる。
【００３９】
また、上記実施形態３では、時計バンド２の上面に固定部材３０の平板部３１の一部を露出させる開口部３６を設けた場合について述べたが、必ずしも時計バンド２の上面に固定部材３０の平板部３１の一部を露出させる開口部３６を設ける必要はなく、固定部材３０が時計バンド２および腕時計ケース１の外部から見えないように隠した構成でも良い。このように構成すれば、実施形態１と同様、固定部材３０が時計バンド２および腕時計ケース１の外部に露出することがないため、外観性およびデザイン性の高いものを得ることができる。
【００４０】
（実施形態４）
次に、図１５および図１６を参照して、この発明を時計バンドに適用した実施形態４について説明する。この場合には、図１〜図５に示された実施形態１と同一部分に同一符号を付して説明する。
この腕時計のバンド取付構造は、腕時計ケース１のケース本体７の下面に取り付けられた金属製の裏蓋４に時計バンド２を固定するための固定部４０を一体に設けた構成であり、これ以外は実施形態１とほぼ同じ構成になっている。
【００４１】
すなわち、この固定部４０は、図１６に示すように、金属製の裏蓋４における１２時側と６時側とに位置する端部に一体に形成され、図１５に示すように、時計バンド２の挿入凹部１２内にケース本体７のバンド取付部１０と共に挿入するように構成されている。この場合、固定部４０は、図１５に示すように、バンド取付部１０の突出長さ（図１５では左右方向の長さ）よりも長く形成され、バンド取付部１０の先端部から突出するように構成されている。これにより、時計バンド２の端部２ａに設けられた挿入凹部１２内における奥側下部には、固定部４０の先端部４０ａが嵌入する嵌合凹部４１が設けられている。
【００４２】
このような腕時計のバンド取付構造によれば、ケース本体７のバンド取付部１０が時計バンド２の挿入凹部１２に挿入されて取付部材１４によって時計バンド３がバンド取付部１０に取り付けられた際に、図１５に示すように、ケース本体７の下面に取り付けられた金属製の裏蓋４に一体に形成された固定部４０が時計バンド２の挿入凹部１２に挿入すると共に、固定部４０の先端部４０ａが挿入凹部１２内の嵌合凹部４１に嵌入するので、実施形態１と同様、少ない部品点数で簡単に組み立てることができるができると共に、時計バンド２を腕時計ケース１に対して確実に且つ強固に取り付けることができる。
【００４３】
すなわち、固定部４０は、図１５に示すように、バンド取付部１０の突出長さよりも長く形成され、バンド取付部１０の先端部よりも突出し、この突出した先端部４０ａが挿入凹部１２内の嵌合凹部４１に嵌入していることにより、時計バンド２が押し下げられて図１５に示す矢印Ｘ方向に回転するのを阻止すると共に、時計バンド２が押し上げられて図１５に示す矢印Ｙ方向に回転するのを阻止することができ、これにより時計バンド２を腕時計ケース１に対して確実に且つ強固に取り付けることができると共に、腕時計ケース１と時計バンド２との隙間を抑制することができるので、腕時計ケース１と時計バンド２との一体感を得ることができる。
【００４４】
（実施形態５）
次に、図１７および図１８を参照して、この発明を時計バンドに適用した実施形態５について説明する。この場合にも、図１〜図５に示された実施形態１と同一部分に同一符号を付して説明する。
この腕時計のバンド取付構造は、腕時計ケース１のケース本体７のバンド取付部１０に時計バンド２を固定するための固定部４５を一体に設けた構成であり、これ以外は実施形態１とほぼ同じ構成になっている。
【００４５】
すなわち、この固定部４５は、図１８に示すように、ケース本体７における１２時側と６時側とに位置する箇所に設けられたバンド取付部１０の先端下部に一体に形成され、図１７に示すように、時計バンド２の挿入凹部１２内にケース本体７のバンド取付部１０と共に挿入するように構成されている。この場合、固定部４５は、図１７に示すように、バンド取付部１０の先端下部から斜め下側に向けて突出して形成されている。これにより、時計バンド２の端部２ａに設けられた挿入凹部１２内の奥側下部には、固定部４５が嵌入する嵌合凹部４６が設けられている。
【００４６】
このような腕時計のバンド取付構造によれば、ケース本体７のバンド取付部１０が時計バンド２の挿入凹部１２に挿入されて取付部材１４によって時計バンド３がバンド取付部１０に取り付けられる際に、図１７に示すように、バンド取付部１０に一体に形成された固定部４５が時計バンド２の挿入凹部１２に挿入すると共に、この挿入凹部１２内の嵌合凹部４１に嵌着するので、実施形態１と同様、少ない部品点数で簡単に組み立てることができるができると共に、時計バンド２を腕時計ケース１に対して確実に且つ強固に取り付けることができる。
【００４７】
すなわち、固定部４５は、図１７に示すように、バンド取付部１０の先端下部から突出して形成されて挿入凹部１２内の嵌合凹部４１に嵌入していることにより、時計バンド２が押し下げられて図１７に示す矢印Ｘ方向に回転するのを阻止すると共に、時計バンド２が押し上げられて図１７に示す矢印Ｙ方向に回転するのを阻止することができ、これにより時計バンド２を腕時計ケース１に対して確実に且つ強固に取り付けることができると共に、腕時計ケース１と時計バンド２との隙間を抑制することができるので、腕時計ケース１と時計バンド２との一体感を得ることができる。
【００４８】
なお、上記実施形態１〜５およびその各変形例では、腕時計ケース１が、ケース本体７と、このケース本体７の外周面に設けられた第１、第２の各ベゼル８、９とを備えた構成である場合について述べたが、必ずしもベゼルを備えている必要はなく、腕時計ケースはケース本体７のみで構成したものであっても良い。
【００４９】
また、上記実施形態１〜５およびその各変形例では、腕時計に適用した場合について述べたが、必ずしも腕時計である必要はなく、腕に取り付けて使用する機器のケースにバンドを取り付けるバンド取付構造にも広く適用することができる。
【図面の簡単な説明】
【００５０】
【図１】この発明のバンド取付構造を腕時計に適用した実施形態１における要部の拡大平面図である。
【図２】図１の腕時計の拡大側面図である。
【図３】図１のＡ−Ａ矢視における要部の拡大断面図である。
【図４】図１の腕時計における要部の分解斜視図である。
【図５】図４の固定部材を示し、（ａ）は固定部材を展開した状態の斜視図、（ｂ）はその展開した固定部材を折り曲げた状態の斜視図である。
【図６】実施形態１の変形例の腕時計における要部の裏面側を示した斜視図である。
【図７】図６のＢ−Ｂ矢視における要部の拡大断面図である。
【図８】この発明のバンド取付構造を腕時計に適用した実施形態２における要部の拡大断面図である。
【図９】図８の固定部材を示した拡大斜視図である。
【図１０】実施形態２の変形例の腕時計における要部の裏面側を示した斜視図である。
【図１１】図１０のＣ−Ｃ矢視における要部の拡大断面図である。
【図１２】この発明のバンド取付構造を腕時計に適用した実施形態３における要部の拡大斜視図である。
【図１３】図１２のＤ−Ｄ矢視における要部の拡大断面図である。
【図１４】図１３の固定部材を示した拡大斜視図である。
【図１５】この発明のバンド取付構造を腕時計に適用した実施形態４における要部の拡大断面図である。
【図１６】図１５の裏蓋を示した斜視図である。
【図１７】この発明のバンド取付構造を腕時計に適用した実施形態５における要部の拡大断面図である。
【図１８】図７のケース本体を示した斜視図である。
【符号の説明】
【００５１】
１  腕時計ケース
２  時計バンド
２ａ  時計バンドの端部
３  時計ガラス
４  裏蓋
５  時計モジュール
７  ケース本体
１０  バンド取付部
１１  貫通孔
１２  挿入凹部
１３  挿入孔
１４  取付部材
１７、３０  固定部材
１８、３１  平板部
１９、３２  取付部
２０、３３  取付孔
２１、４１、４６  嵌合凹部
２５、３４  押え部
３５  逃げ凹部
４０、４５  固定部
【図１】
0005136046.tif 000002
【図２】
0005136046.tif 000003
【図３】
0005136046.tif 000004
【図４】
0005136046.tif 000005
【図５】
0005136046.tif 000006
【図６】
0005136046.tif 000007
【図７】
0005136046.tif 000008
【図８】
0005136046.tif 000009
【図９】
0005136046.tif 000010
【図１０】
0005136046.tif 000011
【図１１】
0005136046.tif 000012
【図１２】
0005136046.tif 000013
【図１３】
0005136046.tif 000014
【図１４】
0005136046.tif 000015
【図１５】
0005136046.tif 000016
【図１６】
0005136046.tif 000017
【図１７】
0005136046.tif 000018
【図１８】
0005136046.tif 000019